(57)【要約】
【課題】電源供給装置の内部に設けて電子素子が発生する熱を放熱する放熱手段を備えた電源供給装置を提供する。
【解決手段】電源供給装置はハウジングと、蓋とを組み合わせて構成してコンピュータの後方側面に設け、該ハウジングは、対抗する１組の側面を具えてなり、一側面に電源を取り入れるために形成されたコンセントと、内部に設けてなる電子素子と、両側面の外側に形成された穿孔とを具えてなり、内部の電子素子により電圧整流を下げた後、コンピュータに電源を供給するために供し、該蓋は、対抗する１組の側面を具えてなり、上面には４隅に形成されたネジ孔と、設置空間と、該設置空間の内側に設けるファンとを具えてなり、該ファンは外界の冷たい空気を内部に吸入して、内部に設けられた電子素子に吹き付けて熱を吸収すると同時にハウジングの側面の穿孔から気体を外へ排出する構造を具えて構成する。
【選択図】図２
0003100550.tif 000002
【実用新案登録請求の範囲】
【請求項１】
電源供給装置はハウジングと、蓋とを組み合わせて構成してコンピュータの後方側面に設け、
該ハウジングは、対抗する１組の側面を具えてなり、一側面に電源を取り入れるために形成されたコンセントと、内部に設けてなる電子素子と、両側面の外側に形成された穿孔とを具えてなり、内部の電子素子により電圧整流を下げた後、コンピュータに電源を供給するために供し、
該蓋は、対抗する１組の側面を具えてなり、上面には４隅に形成されたネジ孔と、設置空間と、該設置空間の内側に設けるファンとを具えてなり、
該ファンは外界の冷たい空気を内部に吸入して、内部に設けられた電子素子に吹き付けて熱を吸収すると同時にハウジングの側面の穿孔から気体を外へ排出する構造を具えてなることを特徴とする放熱手段を備えた電源供給装置。
【請求項２】
前記設置空間は、上方に保護ネットを具えることを特徴とする請求項１に記載する放熱手段を備えた電源供給装置。
【請求項３】
前記ファンは、電源供給装置の温度に反応し、温度により回転速度を調節することを特徴とする請求項１に記載する放熱手段を備えた電源供給装置。
【考案の詳細な説明】
【技術分野】
【０００１】
　この考案は、電源供給装置の放熱手段に関し、特に電源供給装置の内部に設けて電子素子が発生する熱を放熱する放熱手段を備えた電源供給装置に関する。
【背景技術】
【０００２】
　現在、コンピュータシステムの処理速度は速くまり、周辺設備も多様化してきている。これによりコンピュータの電力消費は大幅に増加した。このため、電源供給装置は電力需要を満たすために、電源供給装置内部の電圧整流を抑える電子発熱素子に対する電源供給効率を上昇しなければならない。よって容量は急激に増加して高温を発生するため、有効な放熱効果を提供し、安定した操作状態を維持する。
【０００３】
　従来の放熱手段は、電源供給装置の内部後方にファンを設けて形成する。該ファンは電源供給装置内部の熱を吸収して外へ放熱する。しかし、該放熱手段は、電源供給装置の後方に設けるため、空間を制限される。よって大きさが半径約６センチメートルほどの小型のファンしか設けることができない。このため吸収する熱の量も限られる。
【０００４】
　そこで前述の欠点を改善し、図１に開示するような放熱手段を製造した。図示によれば、電源供給装置は対抗する２組の側面を具えてなり、そのうち１組の側面に前述の方式と同規格のファンを設けて放熱装置を形成する。この方式による放熱手段は、一側面に設けられた吸入ファンが外界の空気を内部に取り込み、内部に吸入された気体が電子発熱素子に吹き付けられ熱を吸収し、もう一方の側面に設けられた排出ファンが外へ気体を放熱する。
【０００５】
　この方式によるファンは吸入する気体の量と放熱する気体の量を同じにするため、吸入、排出ファンの大きさを同様の小型規格にしなければならない。吸入ファンが大きすぎたり、小さすぎる場合、ファンが作動する時、電源供給装置内部で気流が乱れたり、低周波の騒音が発生したりする。また、２つのファンは取り付けたり、外したりする場合に操作が複雑で、コストが高い。さらに、２つのファンの体積は小さいため、使用者の放熱需要を満たすためには長時間、高速運転をしなければならない。よって一定期間使用後、内部の軸受けやネジは急速に磨耗して振動を発生するため、使用にとって不便である。
【考案の開示】
【考案が解決しようとする課題】
【０００６】
この考案は、電源供給装置の上方に大型のファンを具えた放熱手段を設けて、電源供給装置の内部と外部に空気の流れを形成するとともに、ファンを通常の速度で回転させてすばやく電子素子が発生した熱を放熱しすることができる電源供給装置の放熱手段を提供することを課題とする。
【課題を解決するための手段】
【０００７】
　そこで、本考案者は従来の技術に見られる欠点に鑑み鋭意研究を重ねた結果、コンピュータの後方側面に設け、ハウジングと、蓋とを組み合わせて電源供給装置を構成し、該ハウジングは、対抗する１組の側面を具えてなり、一側面に電源を取り入れるために形成されたコンセントと、内部に設けてなる電子素子と、両側面の外側に形成された穿孔とを具えてなり、内部の電子素子により電圧整流を下げた後、コンピュータに電源を供給するために供し、該蓋は、対抗する１組の側面を具えてなり、上面には４隅に形成されたネジ孔と、設置空間と、該設置空間の内側に設けるファンとを具えてなり、該ファンは、外界の冷たい空気を内部に吸入して、内部に設けられた電子素子に吹き付けて熱を吸収すると同時にハウジングの側面の穿孔から気体を外へ排出する構造によって、本考案の課題を解決できる点に着眼し、かかる知見に基づいて本考案を完成させた。
【０００８】
　以下、この考案について具体的に説明する。
請求項１に記載する放熱手段を備えた電源供給装置は、電源供給装置がハウジングと、蓋とを組み合わせて構成してコンピュータの後方側面に設け、該ハウジングは、対抗する１組の側面を具えてなり、一側面に電源を取り入れるために形成されたコンセントと、内部に設けてなる電子素子と、両側面の外側に形成された穿孔とを具えてなり、内部の電子素子により電圧整流を下げた後、コンピュータに電源を供給するために供し、該蓋は、対抗する１組の側面を具えてなり、上面には４隅に形成されたネジ孔と、設置空間と、該設置空間の内側に設けるファンとを具えてなり、該ファンは外界の冷たい空気を内部に吸入して、内部に設けられた電子素子に吹き付けて熱を吸収すると同時にハウジングの側面の穿孔から気体を外へ排出する構造を具えてなる。
【０００９】
　請求項２に記載する放熱手段を備えた電源供給装置は、請求項１に記載した設置空間が、上方に保護ネットを具える。
【００１０】
　請求項３に記載する放熱手段を備えた電源供給装置は、請求項１に記載するファンが、電源供給装置の温度に反応し、温度により回転速度を調節する。
【考案の効果】
【００１１】
　本考案の放熱手段を備えた電源供給装置は、電源供給装置の上方に設けられる蓋に放熱手段を設けるため、内部の電子素子に直接外界の空気を送ることができるとともに、従来より大型なファンを設けることができる。よって、ファンは気体の流れを形成して有効な放熱効果を有し、通常の回転速度で急速に放熱できるため、ファンの軸受けやネジの磨耗を減少させるためファンの使用寿命が延びる効果を有する。
【００１２】
　また、本考案の放熱手段を備えた電源供給装置は、ファンが低速で回転するため、騒音の発生を防ぎ、狂信を大幅に低下させるため、使用上便利な効果を有する。
【考案を実施するための最良の形態】
【００１３】
　この考案は、電源供給装置の内部に設けて電子素子が発生する熱を放熱する放熱手段を備えた電源供給装置を提供するものであって、電源供給装置はハウジングと、蓋とを組み合わせて構成してコンピュータの後方側面に設け、該ハウジングは、対抗する１組の側面を具えてなり、一側面に電源を取り入れるために形成されたコンセントと、内部に設けてなる電子素子と、両側面の外側に形成された穿孔とを具えてなり、内部の電子素子により電圧整流を下げた後、コンピュータに電源を供給するために供し、該蓋は、対抗する１組の側面を具えてなり、上面には４隅に形成されたネジ孔と、設置空間と、該設置空間の内側に設けるファンとを具えてなり、該ファンは外界の冷たい空気を内部に吸入して、内部に設けられた電子素子に吹き付けて熱を吸収すると同時にハウジングの側面の穿孔から気体を外へ排出する構造を具えて構成する。
　かかる電源供給装置の放熱手段の特徴について具体的な実施例を挙げ、以下に詳述する。
【実施例】
【００１４】
　この考案による放熱手段を図２から４に開示する。図示によれば、該電源供給装置（１）はハウジング（１１）と、蓋（１２）とを組み合わせて構成し、コンピュータの後方側面に設ける。該ハウジング（１１）は対抗する１組の側面を具えてなり、一側面に電源を取り入れるために形成されたコンセント（１３）と、内部に設けてなる電子素子（１４）と、両側面の外側に形成された穿孔（１１０）とを具えてなり、内部の電子素子（１４）により電圧整流を下げた後、コンピュータに電源を供給する。該蓋（１２）は対抗する１組の側面を具えてなり、上面には４隅にネジ孔と、設置空間（１２１）と、設置空間（１２１）の内側に設けるファン（１２２）とを具えてなる。該設置空間（１２１）の内側に設けられたファン（１２２）は異物の進入を防ぐため、設置空間（１２１）の上方に保護ネット（１２３）を具える。また、該ファン（１２２）は電源供給装置（１）の温度により回転速度を調節し、図４に開示するように外界の冷たい空気を上方から吸入して、内部の電子素子（１４）に吹き付けて熱を吸収した後、ハウジング（１１）のコンセントを具えた側面の穿孔（１１０）から気体を外へ排出する。
【図面の簡単な説明】
【００１５】
【図１】従来の電源供給装置の放熱手段を表す斜視図である。
【図２】この考案の電源供給装置の放熱手段の分解斜視図である。
【図３】図２に開示する電源供給装置の放熱手段を組み合わせた斜視図である。
【図４】図２に開示する電源供給装置の空気の流れを表す説明図である。
【符号の説明】
【００１６】
１　　　　電源供給装置
１１　　　ハウジング
１２　　　蓋
１３　　　コンセント
１４　　　電子素子
１１０　　穿孔
１２１　　設置空間
１２２　　ファン
１２３　　保護ネット
【図１】
0003100550.tif 000003
【図２】
0003100550.tif 000004
【図３】
0003100550.tif 000005
【図４】
0003100550.tif 000006